(57)【要約】【課題】  引きバネのバネ力をバネ力伝達機構によって引戸に閉じ方向のスライドアシスト力として伝える構成において、バネ力伝達機構を構成する引戸側部材と戸枠側部材の上下位置関係を常に一定に保ち、所期のバネ力伝達作用を確保する。【解決手段】  ガイドレール３に設けた受け部材２６と、引戸２側のスライド部材２５とによってバネ力伝達機構を構成する。スライド部材２５は、エアダンパーを構成する引きバネ入りのシリンダ１４に取付けた状態で枠体１０内に組み込み、この枠体１０をガイドローラ４…,５…と一体のユニットとして片側のローラ支持体７に取付けるように構成した。【選択図】        図１
2005350912.tif 000002
【特許請求の範囲】
【請求項１】
戸枠内でスライドする引戸に対して、開き方向または閉じ方向のスライドアシスト力を加える引戸のスライドアシスト装置であって、上記戸枠に水平に取付けられるガイドレールと、このガイドレール内で転動するように上記引戸にローラ支持体を介して取付けられたガイドローラと、上記ローラ支持体に連結された枠体と、この枠体内に一端がフリーの状態で収容された引きバネと、引戸の一方向のストローク途中からストローク終点までの間で引きバネのバネ力を引戸にスライドアシスト力として加えるバネ力伝達機構とを具備することを特徴とする引戸のスライドアシスト装置。
【請求項２】
請求項１記載の引戸のスライドアシスト装置において、ガイドローラが引戸の左右両側に設けられ、枠体が、片側のローラ支持体に対して一端フリーの片持ち状態で連結されるとともに、この枠体のフリー側の端部に、ガイドレール内を移動しながらフリー側端部を支持する補助支持体が設けられたことを特徴とする引戸のスライドアシスト装置。
【請求項３】
請求項１または２記載の引戸のスライドアシスト装置において、バネ力伝達機構は次の要件を具備することを特徴とする引戸のスライドアシスト装置。
(Ａ)  上記枠体内でスライドし得る状態で引きバネのフリー側の端部に水平軸まわりに回動可能に取付けられたスライド部材と、上記ガイドレールに上記スライド部材側に向かって設けられた受け部材とを具備すること。
(Ｂ)  上記スライド部材には、同部材の回動によって上記受け部材に選択的に係止する第１及び第２両係止面が設けられていること。
(Ｃ)  引戸の一方向のスライド時に、上記スライド部材の第１係止面が受け部材に係止することによって引きバネが伸長し、スライド部材がガイド溝の終端部に到達したときに同部材が回動することにより上記第１係止面が受け部材から外れてスライド部材がガイド溝終端部に停止保持され、引戸の反対方向のスライド時に、第２係止面が受け部材に係止することにより、スライド部材が原姿勢に回動して引きバネが解放されるとともに、その復元力がスライド部材及び枠体を介して引戸にスライドアシスト力として加えられるように構成されていること。
【請求項４】
請求項１乃至３のいずれか１項に記載の引戸のスライドアシスト装置において、バネ力伝達機構は、引戸の閉じ方向のスライド時に引きバネのバネ力を引戸にスライドアシスト力として加えるように構成されたことを特徴とする引戸のスライドアシスト装置。
【請求項５】
請求項１乃至４のいずれか１項に記載の引戸のスライドアシスト装置において、引きバネが、外筒と内筒とによって伸縮自在に構成されたシリンダ内に収容されて一端が外筒に、他端が内筒にそれぞれ止め付けられるとともに、上記シリンダが一端フリーの状態で枠体内に収容され、バネ力伝達機構は、このシリンダのフリー側の端部とガイドレールとの間において引きバネのバネ力を引戸のスライドアシスト力として引戸に加えるように構成されたことを特徴とする引戸のスライドアシスト装置。
【請求項６】
請求項５記載の引戸のスライドアシスト装置において、シリンダが、伸縮に応じて空気の吸排を行ないかつ排出空気に抵抗を与えてスライドアシスト力を弱めるエアダンパーとして構成されたことを特徴とする引戸のスライドアシスト装置。
【発明の詳細な説明】
【技術分野】
【０００１】
本発明は戸枠内で左右にスライドして開口部を開閉する引戸に閉じ方向または開き方向のアシスト力を加える引戸のスライドアシスト装置に関するものである。
【背景技術】
【０００２】
このスライドアシスト装置は、一般には引戸(吊り戸タイプのものを含む)の自動閉じ装置として使用され、原理的には、引戸と戸枠との間に設けた引きバネのバネ力を閉じ方向に加えるように構成される(たとえば特許文献１参照)。
【０００３】
この場合、装置をできるだけ小型化して引戸への組み込みを容易にすることを目的として、バネ力を引戸の全ストロークを通じて作用させるのではなく、ストローク後半部分でのみバネ力伝達機構を介して作用させる方式(以下、一部アシスト方式という。たとえば特許文献２参照)のものが公知である。
【０００４】
この一部アシスト方式の装置におけるバネ力伝達機構は、たとえば、引きバネの一端側に設けられたスライド部材と、戸枠側に設けられた受け部材とから成り、引戸の開き方向のスライド時に、受け部材でスライド部材を押して引きバネを伸長させるとともに、伸長状態でスライド部材を回動させてその位置に停止させ、閉じ方向のスライド時のストローク後半で受け部材によりスライド部材を原姿勢に回動させて引きバネを解放し、そのバネ力(正確にはバネ反力)を引戸に閉じ方向のアシスト力として加えるように構成されている。
【特許文献１】実開昭５７−７７５７０号公報
【特許文献２】特開２００３−１３８８２８号公報
【発明の開示】
【発明が解決しようとする課題】
【０００５】
このような一部アシスト方式においては、バネ力伝達機構を構成する戸枠側の部材(上記例では受け部材)と引戸側の部材(同、スライド部材)とが係脱してバネの伸長・解放操作を行なうため、この両部材の上下位置関係が一定であることが前提となる。つまり、両者が上下に離れ過ぎても近づき過ぎても係脱作用がうまく行なわれない。
【０００６】
ところが、従来装置においては、引戸側部材(スライド部材)が引戸と一体として組み込まれているため、引戸設置時の上下位置調整(ガイドローラを上下位置調整することによって行なわれる)の際に、引戸とともにこの引戸側部材の上下位置が変動する。
【０００７】
こうなると、引戸側部材と戸枠側部材(受け部材)との上下位置関係も変わってしまうため、係脱作用(バネ力伝達作用)がうまく行なわれなくなるという問題があった。
【０００８】
また、木製引戸の場合、長年の使用による反りや撓みが発生し、これによっても設置時と同様に引戸側、戸枠側両部材の上下位置関係が狂って動作不良が発生する。
【０００９】
なお、引戸側部材を単独で位置調整することは理論上は可能であるが、実際にはきわめて面倒であるため行なわれていない。
【００１０】
そこで本発明は、一部アシスト方式におけるバネ力伝達機構の引戸側部材と戸枠側部材の上下位置関係を常に一定に保ち、所期のバネ力伝達作用を確保することができる引戸のスライドアシスト装置を提供するものである。
【課題を解決するための手段】
【００１１】
請求項１の発明は、戸枠内でスライドする引戸に対して、開き方向または閉じ方向のスライドアシスト力を加える引戸のスライドアシスト装置であって、上記戸枠に水平に取付けられるガイドレールと、このガイドレール内で転動するように上記引戸にローラ支持体を介して取付けられたガイドローラと、上記ローラ支持体に連結された枠体と、この枠体内に一端がフリーの状態で収容された引きバネと、この引きバネのフリー側の端部とガイドレールとの間において引戸の一方向のストローク途中からストローク終点までの間で引きバネのバネ力をスライド運動のアシスト力として引戸に加えるバネ力伝達機構とを具備するものである。
【００１２】
請求項２の発明は、請求項１の構成において、ガイドローラが引戸の左右両側に設けられ、枠体が、片側のローラ支持体に対して一端フリーの片持ち状態で連結されるとともに、この枠体のフリー側の端部に、ガイドレール内を移動しながらフリー側端部を支持する補助支持体が設けられたものである。
【００１３】
請求項３の発明は、請求項１または２の構成において、バネ力伝達機構は次の要件を具備するものである。
【００１４】
(Ａ)  上記枠体内でスライドし得る状態で引きバネのフリー側の端部に水平軸まわりに回動可能に取付けられたスライド部材と、上記ガイドレールに上記スライド部材側に向かって設けられた受け部材とを具備すること。
【００１５】
(Ｂ)  上記スライド部材には、同部材の回動によって上記受け部材に選択的に係止する第１及び第２両係止面が設けられていること。
【００１６】
(Ｃ)  引戸の一方向のスライド時に、上記スライド部材の第１係止面が受け部材に係止することによって引きバネが伸長し、スライド部材がガイド溝の終端部に到達したときに同部材が回動することにより上記第１係止面が受け部材から外れてスライド部材がガイド溝終端部に停止保持され、引戸の反対方向のスライド時に、第２係止面が受け部材に係止することにより、スライド部材が原姿勢に回動して引きバネが解放されるとともに、その復元力がスライド部材及び枠体を介して引戸にスライドアシスト力として加えられるように構成されていること。
【００１７】
請求項４の発明は、請求項１乃至３のいずれかの構成において、バネ力伝達機構は、引戸の閉じ方向のスライド時に引きバネのバネ力を引戸にスライドアシスト力として加えるように構成されたものである。
【００１８】
請求項５の発明は、請求項１乃至４のいずれかの構成において、引きバネが、外筒と内筒とによって伸縮自在に構成されたシリンダ内に収容されて一端が外筒に、他端が内筒にそれぞれ止め付けられるとともに、上記シリンダが一端フリーの状態で枠体内に収容され、バネ力伝達機構は、このシリンダのフリー側の端部とガイドレールとの間において引きバネのバネ力を引戸のスライドアシスト力として引戸に加えるように構成されたものである。
【００１９】
請求項６の発明は、請求項５の構成において、シリンダが、伸縮に応じて空気の吸排を行ないかつ排出空気に抵抗を与えてスライドアシスト力を弱めるエアダンパーとして構成されたものである。
【発明の効果】
【００２０】
上記のように本発明によると、引戸を一方向(請求項３では閉じ方向)にアシストするためのバネ力伝達機構の引戸側の部材(請求項２ではスライド部材)を枠体内に組み込み、この枠体をガイドローラと一体のユニットとしてローラ支持体に取付けているため、引戸を戸枠に組み込む際の上下位置調整や、木製引戸の反りやたわみによる上下位置変動によって引戸と戸枠の上下位置関係が変わっても、この引戸側部材と戸枠側部材(同、ガイドレールの受け部材)の上下位置関係は一定に保たれる。
【００２１】
このため、バネ力伝達作用が常に確実に行なわれる。あるいは、引戸の上下位置調整や変形に合わせて引戸側部材を上下位置調整する面倒がなくなる。
【００２２】
また、引戸側部材がガイドローラと一体のユニットとして引戸に組み込まれるため、引戸への組み込みが容易となる。
【００２３】
この場合、請求項２の発明によると、枠体を左右片側のローラ支持体に対して一端フリーの片持ち状態で連結し、この枠体のフリー側の端部を補助ローラで支持する構成としたから、枠体を両側ローラ支持対間に両端固定状態で取付ける場合と異なり、引戸の幅寸法が変わっても、枠体(装置全体)の長さを変える必要がない。すなわち、この装置を種々サイズの引戸に共通部品として用いることができる。
【００２４】
また、請求項５,６の発明によると、引きバネをシリンダに内装しているため、バネを保護して劣化や損傷を防止できる。また、シリンダを枠体に取付け、かつ、シリンダに対してバネ力伝達機構の引戸側部材を取付ければよいため、組立がさらに容易となる。
【００２５】
とくに請求項６の発明によると、シリンダを、引戸を緩やかにスライドさせるエアダンパーとして構成し、エアダンパーと引きバネを一体物として構成しているため、装置を小型化でき、引戸への組み込みが一層簡単となる。
【発明を実施するための最良の形態】
【００２６】
以下の実施形態では、吊り戸式の引戸に組み込まれて閉じ方向のスライドアシスト作用を行なうスライドアシスト装置を例にとっている。
【００２７】
図１,２において、１は戸枠で、この戸枠１内で引戸２が左右にスライドして開口部を開閉する。図１,２は引戸２が閉じた状態を示し、この状態から引戸２が図の左側にスライドして開くようになっている。
【００２８】
このスライド構造として、戸枠１の上側にガイドレール３が水平に取付けられる一方、引戸２の上部において左右(開き側及び閉じ側)の両端部に前後一対ずつで左右二組(計４個ずつ)のガイドローラ４…,５…がローラ支持体６,７を介して取付けられ、このガイドローラ４…,５…がガイドレール３内で転動する。
【００２９】
左右のローラ支持体６,７は、上下調整機構(図ではそのフレームのみを示す)８,９を介して引戸２に取付けられ、引戸２の設置時に、この上下調整機構８,９によってガイドローラ４…,５…の上下位置、すなわち引戸２の上下位置が戸枠１に合わせて調整される。
【００３０】
図右側(閉じ側端部)のローラ支持体７には枠体１０の一端側が連結されて、枠体１０が一端フリーの片持ち状態で支持されている。
【００３１】
この枠体１０は、図７等に示すように相対向する断面Ｕ字形の下枠１１と上枠１２が内外嵌合状態で結合されることによって中空の四角筒状に形成され、そのフリー側の端部に補助支持体としての前後一対の補助ローラ１３,１３が取付けられている。
【００３２】
この補助ローラ１３,１３は、ガイドローラ４…,５…とともにガイドレール３内を転動し、この補助ローラ１３,１３によって枠体１０のフリー側端部がガイドレール３に支持される。
【００３３】
なお、補助支持体として、補助ローラ１３,１３に代えて、ガイドレール３内をスライドする滑り部材を設けてもよい。
【００３４】
このように、左右のガイドローラ４…,５…と、枠体１０と、補助ローラ１３,１３がガイドレール３内に組み込まれ、ガイドローラ４…,５…によって引戸２が戸枠１に左右スライド自在に吊持されるとともに、枠体１０が引戸２と一体にガイドレール３内で左右にスライドするように構成されている。
【００３５】
また、枠体１０内にはシリンダ１４が設けられている。
【００３６】
このシリンダ１４は、図８,９に示すように内筒１５と外筒１６が相嵌合されてテレスコープ状に伸縮自在に構成され、外筒１６の端部が枠体１０のフリー側端部に止め付けられることにより、シリンダ１４が一端フリーの片持ち状態で枠体１０内に取付けられている。
【００３７】
このシリンダ１４内には引きバネ(引っ張りコイルバネ)１７が収容され、図９に示すようにその一端が内筒１５の端部に、他端が外筒１６の端部にそれぞれ止め付けられることにより、引きバネ１７のバネ力がシリンダ縮小方向に作用するように構成されている。
【００３８】
一方、図８,９に示すように、シリンダ１４の内筒１５における外筒側の端部にピストン１８、外筒１６の先端部にエンドキャップ１９がそれぞれ設けられ、ピストン１８の外周側、及びエンドキャップ１９の内周側に、それぞれ空気を絞りながら排出するエア抜き通路２０,２１が設けられている。
【００３９】
また、外筒１６の基端側に、エア吸入通路２２とこれを開閉するボール２３とからなる逆止弁２４が設けられ、シリンダ伸長時(引きバネ伸長時)にボール２３が図９の右側に移動してエア吸入通路２２が開き、外気がシリンダ１４内に吸い込まれる。
【００４０】
シリンダ１４内に吸い込まれた空気は、シリンダ縮小時(引きバネ縮小時)にエア抜き通路２０,２１を通って外部に排出され、この際の排出抵抗により引きバネ１７の復元力が抑えられてシリンダ１４が緩やかに縮小する。
【００４１】
すなわち、シリンダ１４は、引戸２を緩やかに閉じるエアダンパーとして構成されている。
【００４２】
引きバネ１７のバネ力を引戸２に伝えるバネ力伝達機構は、引戸側のスライド部材２５と、戸枠側の受け部材２６とによって構成される。
【００４３】
スライド部材２５は、シリンダ１４の遊端側(内筒１５の先端側)に水平軸２７まわりに回動可能に取付けられた状態で枠体１０内にスライド自在に収容されている。
【００４４】
このスライド部材２５は、図１０に拡大して示すように上面側に上向きに突出する幅広の突起２８を有し、図１〜図７に示すようにこの突起２８が、枠体１０(上枠１２)の上面部において右側半部に設けられたガイド溝２９から外部に突出する状態でガイド溝２９に沿ってスライドする。
【００４５】
このガイド溝２９の終端部には突起２８が嵌まり込む幅広の窓穴２９ａが設けられ、突起２８がこの窓穴２９ａに到達したときに、スライド部材２５全体が水平軸２７まわりに下向きに回動する。これにより、突起２８がガイド溝２９の終端面に係止し、スライド部材２５がこの位置に停止保持される。
【００４６】
突起２８は側面視でほぼ台形状に形成され、この突起２８の片面側に第１係止面３０、突起２８の裾部分に第２係止面３１が相連続して設けられている。
【００４７】
一方、受け部材２６は、ガイドレール３の中間部に下向きの軸体として突設され、この受け部材２６が、引戸２の開き時には突起２８の第１係止面３０に、閉じ時には第２係止面３１にそれぞれ係止する。
【００４８】
この点の作用を含めた本装置の作用を次に説明する。
【００４９】
引戸２を閉じた状態では、図１,２に示すようにシリンダ１４(引きバネ１７)は縮小し、スライド部材２５はガイド溝２９の始端部に位置した状態となっている。このとき、受け部材２６はスライド部材２５における突起２８の第１係止面３０に係止した状態となっている。
【００５０】
この状態から図３に示すように引戸２を開き操作すると、枠体１０及びシリンダ１４が引戸２と一体にガイドレール３内でスライドし、図３,４に示すようにスライド部材２５が突起２８を介して受け部材２６で押される形でガイド溝２９内を移動しながらシリンダ１４が伸び始める。
【００５１】
図５はスライド部材２５がガイド溝２９の終端部まで移動した状態を示し、このとき受け部材２６からの押し力によってスライド部材２５が窓穴２９ａ内で回動し、ガイド溝終端面に係止する。
【００５２】
これにより、スライド部材２５が停止保持されるとともに、突起２８の第１係止面３０が受け部材２６から外れて、スライド部材２５全体が受け部材２６の下方を通過し、引戸２とともに残りの区間を移動する。
【００５３】
このとき、突起２５の第２係止面３１がガイド溝２９外に突出して、引戸２の閉じ操作を待つ態勢となる。
【００５４】
この後、引戸２を閉じ方向にスライドさせると、図６に示すように中間ストロークでスライド部材２５における突起２８の第２係止面３１が受け部材２６に係止して押されることにより、スライド部材２５が原姿勢に向けて回動する。
【００５５】
こうして、同部材２５が停止保持状態から解放される(引きバネ１７が解放される)一方、突起２８の第１係止面３０が受け部材２６に係止する。
【００５６】
すると、引きバネ１７のバネ力が受け部材２６に受け止められ、残りのストロークでバネ反力が枠体１０を通じて引戸２に閉じ方向の力(スライドアシスト力)として加えられる。また、このとき前記したシリンダ１４のエアダンパー作用が働く。
【００５７】
これにより、引戸２が閉じ位置まで自動的にかつ緩やかにスライドするとともに、シリンダ１４が縮小してスライド部材２５が図１,２の原位置に戻る。
【００５８】
上記作用が引戸２の開閉のたびに繰り返され、閉じ方向のスライドアシスト作用が行なわれる。
【００５９】
ところで、建物の施工誤差等によって戸枠１と引戸２に上下方向の寸法誤差が生じた場合には、引戸２の組み込み時に、図２中に二重線矢印で示すように引戸２の上下位置を戸枠１に合わせて調整する必要がある。
【００６０】
この調整は、引戸２の上下調整機構８,９の操作(たとえば調整ねじの操作)によりガイドローラ４…,５…を上下させることによって行なわれる。
【００６１】
この場合、従来は、引きバネ、及びバネ力伝達機構の引戸側部材(上記実施形態でいえばスライド部材２５)が引戸に対して一体に組み込まれ、引戸とともに上下するため、この引戸側部材と戸枠側の部材(同、受け部材２６)の上下位置関係(間隔)が狂い、両者の係脱がうまく行なわれないおそれがある。
【００６２】
また、木製引戸の場合、長年の使用による反りや撓みが発生し、これによっても設置時と同様に引戸側、戸枠側両部材の上下位置関係が狂って動作不良が発生する。
【００６３】
これに対し、この装置によると、引きバネ１７入りのシリンダ１４、及びバネ力伝達機構の引戸側部材であるスライド部材２５を枠体１０内に組み込み、この枠体１０をガイドローラ４…,５…と一体のユニットとして片側のローラ支持体７に取付けているため、引戸２を戸枠１に組み込む際の上下位置調整や、木製引戸の反りやたわみによる上下位置変動によって引戸２と戸枠１の位置関係が変わっても、スライド部材２５と受け部材２６の上下位置関係は一定に保たれる。
【００６４】
このため、バネ力伝達作用が常に確実に行なわれる。あるいは、引戸２の上下位置調整や変形に合わせてスライド部材２５を上下位置調整する面倒がなくなる。
【００６５】
また、引きバネ１７をシリンダ１４に内装するとともに、このシリンダ１４に対してスライド部材２５を取付け、これらを枠体１０に組み込んで、機構一式をガイドローラ４…,５…と一体のユニットとして引戸２に組み込む構成をとっているため、装置の組立及び引戸２への組み込みが簡単となる。
【００６６】
加えて、シリンダ１４を、引戸２を緩やかにスライドさせるエアダンパーとして構成し、このシリンダ１４と引きバネ１７を一体物として構成しているため、装置を小型化でき、引戸２への組み込みが一層簡単となる。
【００６７】
さらに、引きバネ１７をシリンダ１４に内装したことにより、引きバネ１７を保護して劣化や損傷を防止することができる。
【００６８】
他の実施形態
(１)  上記実施形態では、引きバネ１７のバネ力を引戸２の閉じ方向にスライドアシスト力として加える場合について説明したが、本発明はバネ力を引戸２の開き方向に加える装置としても適用することができる。
【００６９】
(２)  上記実施形態では、エアダンパーとしてのシリンダ１４内に引きバネ１７を収容する構成をとったが、これらを分離して別々に設置してもよい。
【００７０】
(３)  上記実施形態では吊り戸タイプの引戸を適用対象として例示したが、本発明は、引戸重量を戸枠の下側で支える通常の引戸にも適用することができる。
【図面の簡単な説明】
【００７１】
【図１】本発明の実施形態にかかるスライドアシスト装置を示す一部断面正面図である。
【図２】図１の一部を拡大して示す図である。
【図３】引戸の開き途中の状態について図２の一部をさらに拡大して示す図である。
【図４】図３の状態からさらに引戸を開き方向にスライドさせた状態の図３相当図である。
【図５】図４の状態からさらに引戸を開き方向にスライドさせた状態の図３相当図である。
【図６】引戸を閉じる途中の状態を示す図３相当図である。
【図７】スライドアシスト装置の分解斜視図である。
【図８】同装置のシリンダの斜視図である。
【図９】同拡大断面図である。
【図１０】同装置のスライド部材の拡大斜視図である。
【符号の説明】
【００７２】
１  戸枠
２  引戸
３  ガイドレール
４…,５…  ガイドローラ
６,７  ローラ支持体
８,９  上下調整機構
１０  枠体
１１  枠体の下枠
１２  同上枠
１３  補助支持体としての補助ローラ
１４  エアダンパーとしてのシリンダ
１５  シリンダの内筒
１６  同外筒
１７  引きバネ
２０,２１  エア抜き通路
２４  逆止弁
２５  スライド部材
３０  スライド部材の第１係止面
３１  同、第２係止面
２６  受け部材
２９  ガイド溝
２９ａ  窓穴
【図１】
2005350912.tif 000003
【図２】
2005350912.tif 000004
【図３】
2005350912.tif 000005
【図４】
2005350912.tif 000006
【図５】
2005350912.tif 000007
【図６】
2005350912.tif 000008
【図７】
2005350912.tif 000009
【図８】
2005350912.tif 000010
【図９】
2005350912.tif 000011
【図１０】
2005350912.tif 000012